(57)【要約】 【課題】略平準化した遠赤外線の放射を行うことができると共に、優れた美観を有する鏝状の温灸器を提供する。【解決手段】鏝状の本体２と、ヒーター５と、ヒーター５の外側に設けられ、凸曲面の外表面を人体部位に当接し且つ凹曲面の内表面に微細凹凸６ｂが形成されているドーム状で透明のガラスカバー６と、ガラスカバー６の微細凹凸６ｂが形成された内表面に塗設された遠赤外線放射層７と、ガラスカバー６内で遠赤外線放射層７に密着して充填される粘土状の遠赤外線放射材８とを備える鏝状の温灸器。【選択図】図２
2007014679.tif 000002
【特許請求の範囲】
【請求項１】
鏝状の本体と、本体前部に配設されるヒーターと、ヒーターの外側に設けられ、凸曲面の外表面を人体部位に当接し且つ凹曲面の内表面に微細凹凸が形成されているドーム状で透明の遠赤外線透過カバーと、遠赤外線透過カバーの微細凹凸が形成された内表面に塗設された遠赤外線放射層と、遠赤外線透過カバー内で遠赤外線放射層に密着して充填される粘土状の遠赤外線放射材とを備えることを特徴とする鏝状の温灸器。
【請求項２】
遠赤外線透過カバーの外表面の温度が３７℃〜４３℃の範囲内の低温となるヒーター温度に対応する出力と、遠赤外線透過カバーの外表面の温度が６５℃〜７５℃の範囲内の高温となるヒーター温度に対応する出力とに、ヒーターの出力を調整可能であることを特徴とする請求項１記載の温灸器。
【請求項３】
ヒーター出力を調整可能であり、制御部が、高温から低温へのヒーター出力の変更入力に応じて、ヒーター出力を低下すると共に冷却ファンを作動し、温度検知部の該低温に対応するヒーター温度の検知に応じて、冷却ファンを停止することを特徴とする請求項１又は２記載の温灸器。
【請求項４】
ヒーター発熱面の第１の側端に略対応する位置のヒーター後方に冷却ファンを設け、該ヒーター発熱面の第１の側端と略反対側の第２の側端に略対応する位置の本体に吸気口を形成することを特徴とする請求項１、２又は３記載の温灸器。
【発明の詳細な説明】
【技術分野】
【０００１】
本発明は、人体部位の加温と遠赤外線照射を行う鏝状の温灸器に関する。
【背景技術】
【０００２】
人体部位の加温と遠赤外線照射を行う鏝状の温灸器として特許文献１がある。特許文献１には、ラドン発生稀有元素鉱物のみ、又はトルマリン鉱石、炭素若しくはラドン発生稀有元素鉱物の２以上を含んでいる遠赤外線放射材を加熱して遠赤外線を発生し、遠赤外線を人体深部まで到達させる鏝状の温灸器が記載されており、図１及び図２にヒーターで加熱されるドーム状の金属カバーやガラスカバーの凸曲面である外表面に、例えばトルマリン鉱石の層と炭素の層とラドン発生稀有元素鉱物の層で構成される遠赤外線放射層を積層し、更にガラスカバー等の凹曲面に遠赤外線放射層を塗布する或いは焼き付ける構成や、図８にガラスカバーの凹曲面内に遠赤外線放射材を埋め込んでヒーターで加熱する構成や、遠赤外線放射層を例えば５０℃、６０℃、７０℃、８０℃の温度とする構成が開示されている。
【０００３】
また、その他に人体部位への加温や遠赤外線照射に関連する技術として特許文献２〜５がある。特許文献２には、筒体内に振動発生部を内蔵すると共に、上方周壁の外表面にアルミナ・マグネシア・ジルコニア等のセラミックス粒子をコーティングして遠赤外線放射層が設けられ、その下面に発熱体が一体的に固定されている上蓋を備える遠赤外線放射マッサージ器が記載されている。
【０００４】
特許文献３には、サマルスキー石、フェルグソン石、ゼノタイム、トロゴム石、変種ジルコンなどの天然放射性稀有元素鉱物の微粉末と導電カーボンとを混合してシート状或いは板状の基体を形成し、この基体の両側にニクロム線を配設し、ニクロム線に電源接続具を設ける電熱具が記載されている。
【０００５】
特許文献４には、人体から熱エネルギーを吸収し、吸収したエネルギーを遠赤外線に変換して人体に放射する蓄熱刺激具が記載され、有色セラミックの人体への接触面をガラス質平滑薄膜でコーティングし、前記薄膜の表面を焼成工程で軟化溶融して平滑状に形成し、前記薄膜を還元焼成して炭素で着色する構成が開示されている。
【０００６】
特許文献５には、断熱性の外筒の内側に棒モグサを挿嵌する金属製の内筒を設け、内筒の先端側に、凸面状の金属網とその内側に添着されたガラス繊維布体とからなる放熱体を嵌着すると共に、セラミックス粉末等を付着した布地を先端に取り付けられた弦巻ばねを設ける構成が記載されている。
【０００７】
また、本願に関連するその他の公知技術として、特許文献６には、秋田県玉川温泉の天然ラジウムを含有する湯の花の粉末を加熱して硫黄成分を除去し、粘土を加熱して粉末状としたものと混練した後、水分を加えて球状若しくは板状に成形して乾燥し、高温で加熱してセラミック化するセラミックスの製造方法、及び前記セラミックスがラジウム放射能をマイナスイオンを放射し続けることが記載されている。
【０００８】
【特許文献１】国際公開ＷＯ２００４／０７５９８６Ａ１
【特許文献２】実開平２−１４１４４５号全文明細
【特許文献３】実公昭６３−１８１５６号
【特許文献４】実公平３−２５８００号
【特許文献５】特開２０００−３０８６６８号
【特許文献６】特開２００４−３０７３１３号
【発明の開示】
【発明が解決しようとする課題】
【０００９】
ところで、特許文献１の鏝状の温灸器に於いて、ドーム状ガラスカバーの表面に層状の遠赤外線放射層を形成する場合、層状の遠赤外線放射層に気泡が発生し、更には、塗布や焼付で形成される遠赤外線放射層とガラスカバー表面の固着力が十分でないことから、遠赤外線放射層に隙間ができて遠赤外線の放射にバラツキが生じ、又、透明のガラスカバーから遠赤外線放射層の隙間が見えて美観が損なわれるという不具合がある。また、ガラスカバー内に遠赤外線放射材を充填する場合にも、ガラスカバー内で遠赤外線放射材が移動して偏ってしまうため、同様に遠赤外線の放射にバラツキが生じ、又、透明のガラスカバーから遠赤外線放射層の隙間が見えて美観が損なわれてしまう。そのため、遠赤外線の放射を略平準化することができると共に、優れた美観を有する鏝状の温灸器が求められている。
【００１０】
本発明は上記課題に鑑み提案するものであって、略平準化した遠赤外線の放射を行うことができると共に、優れた美観を有する鏝状の温灸器を提供することを目的とする。
【課題を解決するための手段】
【００１１】
本発明の温灸器は、鏝状の本体と、本体前部に配設されるヒーターと、ヒーターの外側に設けられ、凸曲面の外表面を人体部位に当接し且つ凹曲面の内表面に微細凹凸が形成されているドーム状で透明の遠赤外線透過カバーと、遠赤外線透過カバーの微細凹凸が形成された内表面に塗設された遠赤外線放射層と、遠赤外線透過カバー内で遠赤外線放射層に密着して充填される粘土状の遠赤外線放射材とを備えることを特徴とする。
【００１２】
また、本発明の温灸器は、遠赤外線透過カバーの外表面の温度が３７℃〜４３℃の範囲内の低温となるヒーター温度に対応する出力と、遠赤外線透過カバーの外表面の温度が６５℃〜７５℃の範囲内の高温となるヒーター温度に対応する出力とに、ヒーターの出力を調整可能であることを特徴とする。
【００１３】
また、本発明の温灸器は、ヒーター出力を調整可能であり、制御部が、高温から低温へのヒーター出力の変更入力に応じて、ヒーター出力を低下すると共に冷却ファンを作動し、サーミスタ等の温度検知部の該低温に対応するヒーター温度の検知に応じて、冷却ファンを停止することを特徴とする。
【００１４】
また、本発明の温灸器は、ヒーター発熱面の第１の側端に略対応する位置のヒーター後方に冷却ファンを設け、該ヒーター発熱面の第１の側端と略反対側の第２の側端に略対応する位置の本体に吸気口を形成することを特徴とする。前記第１の側端は例えばヒーター発熱面の前端若しくは後端とし、前記第２の側端は例えばヒーター発熱面の後端若しくは前端等とする。
【００１５】
尚、本発明の温灸器には、各発明に特定事項を追加し、或いは各発明の特定事項の一部を他の特定事項に変更し、或いは各発明の特定事項から部分的な作用効果を奏する限度で特定事項を削除したものも含まれる。
【発明の効果】
【００１６】
本発明の温灸器は、遠赤外線透過カバーの微細凹凸が形成された内表面に遠赤外線放射層を塗設するので、微細凹凸との係合で遠赤外線放射層が高い強度で内表面に固着し、遠赤外線放射層の剥離を防止することができる。更に、粘土状の遠赤外線放射材を遠赤外線放射層に密着してカバー内に充填するので、例えば遠赤外線放射層の気泡が生じた箇所や部分的な剥離が生じた箇所にも、遠赤外線放射材を配置することができ、又、粘土状の遠赤外線放射材と遠赤外線放射層の密着強度が高いことから、遠赤外線放射材の配置を安定したものとなる。従って、遠赤外線透過カバーの略全面に亘って遠赤外線放射層或いは放射材を確実に配置することが可能であり、遠赤外線の放射を略平準化することができると共に、透明の遠赤外線透過カバーから隙間が見えるようなことがなく、温灸器の美観を向上することができる。
【００１７】
また、遠赤外線透過カバー外表面の温度を３７℃〜４３℃の範囲内の低温と６５℃〜７５℃の範囲内の高温とに調整可能とすることにより、使用者は、温灸器を所望の人体部位に定置して使用する場合には体温より若干高い温度の前記３７℃〜４３℃の低温にして、強すぎる熱刺激を受けることなく、持続的に長時間使用することができ、又、温灸器を肌に沿って移動しながら使用する場合には前記６５℃〜７５℃の高温にして使用することができ、使用者の前記定置及び移動による使用に適応することができる。更に、温灸器を肌に沿って移動しながら使用する場合には、体感温度は２０℃〜３０℃程度降下するので、前記定置による使用状態と前記移動による使用状態とで、体感温度を略同一にすることができる。
【００１８】
また、ヒーター温度を高温から低温へ変更する際に、所定のヒーター温度になるまで冷却ファンを作動することにより、ヒーター温度や遠赤外線透過カバーの外表面の温度を素早く降下することができる。
【００１９】
また、ヒーター発熱面の第１の側端に略対応する位置のヒーター後方に冷却ファンを設け、第１の側端と略反対側の第２の側端に略対応する位置の本体に吸気口を形成することにより、ヒーターの背面に沿うような気流を形成することができ、前記気流でヒーターの熱を効率的に奪って冷却することができる。
【発明を実施するための最良の形態】
【００２０】
本発明の温灸器の実施形態について説明する。
【００２１】
本実施形態の鏝状の温灸器１は、図１〜図３に示すように、平面視略杓文字形で鏝状の本体２を有し、本体２の前部に楕円形の開口３が形成されている。開口３の内部には、開口３と平面視略同形・略同サイズで、中央に凹部４ａを有する断熱板４が固定して設けられていると共に、開口３と平面視略同形で僅かに小さいサイズの平板状の発熱面５ａを有するヒーター５が断熱板凹部４ａに収容して設けられ、発熱面５ａが断熱板４の前面に配置される。５ｂはヒーター５に設けられたサーミスタである。
【００２２】
ヒーター５の発熱面５ａの前方には、凸曲面の外表面を人体局部に当てられる透明の遠赤外線透過カバーとして、平面視楕円形でドーム状のガラスカバー６が離間して設けられており、ガラスカバー６は、凸曲面を前方にして周縁に形成された係合片６ａを、本体２の開口３の周縁に沿って配設された断面視コ字形で周状の被係合部２ａに係合して設置されている。
【００２３】
ガラスカバー６の凹曲面の内面には、図３に示すように、サンドブラスト等で形成される微細凹凸６ｂが設けられている。微細凹凸６ｂが形成されたガラスカバー６の内面上には、遠赤外線放射層７が塗布して焼き付けられており、遠赤外線放射層７は、ガラスカバー６の内面に形成された微細凹凸６ｂと係合して高い強度で固着されている。ガラスカバー６の凹曲面内には、遠赤外線放射層７上に粘土状の遠赤外線放射材８が充填して埋め込まれる。遠赤外線放射材８は、上面がヒーター発熱面５ａと面接触すると共に、摩擦係数が高い遠赤外線放射層７と接触して充填され、ガラスカバー６の凹曲面内での移動や偏りが防止され、高い安定性で設置される。
【００２４】
前記遠赤外線放射層７、粘土状の遠赤外線放射材８には、例えばアルミナ・マグネシア・ジルコニア等のセラミックス、トルマリン、トリウム・ラドンなど天然放射性稀有元素鉱物、炭素等を単独で、若しくは２以上組み合わせて用いる等、適宜の素材を用いることが可能である。更に、特許文献６の天然ラジウムを含有する湯の花の粉末を加熱して硫黄成分を除去し、粘土を加熱して粉末状としたものと混練した後、水分を加えて球状若しくは板状に成形して乾燥し、高温で加熱してセラミック化したセラミックスを混合してもよい。
【００２５】
尚、ガラスカバー６の内面に遠赤外線放射層７を塗布して形成する場合には、例えば遠赤外線放射作用のある鉱石：１．５重量％と伝熱セメント：９８．５重量％等の混合比率で混合して練和し、その練和物をガラスカバー６の内面に塗布し、真空デジケーター内に入れて真空吸引で気泡を除去した後、塗布物を押さえて脱法充填を図り、３〜５時間程度放置した後に半固形化したセメントの表面に千枚通しで孔を開け、そのまま１〜２日程度自然乾燥させる。その後、専用治具で加圧状態のガラスカバー６及び塗布物を乾燥器内に入れ、約２時間で１２０℃程度まで昇温して５時間以上その状態を保持し、更に、自然放置した後、乾燥剤入りの密閉容器に入れて保管する、等の工程を経て形成する。前記遠赤外線放射作用のある鉱石と伝熱セメントの混合比率は、鉱石：０．１〜１０重量％、伝熱セメント：９９．９〜９０重量％の範囲とすると好適である。
【００２６】
本体２内の断熱板４及びヒーター５の後方には、開口３やヒーター発熱面５ａの略後端に対応する位置に冷却ファン９が設けられ、冷却ファン９の背後に位置する本体２にはスリット状の排気口２ｂが複数形成され、又、本体２の前端側面にはスリット状の吸気口２ｃが形成されている。冷却ファン９を作動することにより、ヒーター５の加熱で上昇した本体２内の空気が排気口２ｂから排出され、同時に吸気口２ｃから本体２内に外気が取り入れられる。ヒーター発熱面５ａの略前端に位置する吸気口２ｃから略後端に位置する冷却ファン９及び排気口２ｂに向かって、ヒーター発熱面５ａに沿う気流が形成され、かかる気流で効率的に熱を奪ってヒーター発熱面５ａ等を冷却することが可能である。
【００２７】
本体２の取手部分の内部には、回路収容部１０が配設されている。回路収容部１０には、ＣＰＵやメモリで構成され、ＣＰＵがメモリに記憶された制御プログラムに従って所定処理を実行する制御回路１０１と、スイッチ回路１０２と、ＡＣ／ＤＣアダプタ１０３とが収容されている（図４参照）。スイッチ回路１０２は、図４に示すように、制御回路１０１の制御に応じて、ヒーターの温度を所定温度に保持するサーモスタット５ｃを介して接続されたヒーター５、冷却ファン９、後述するＬＥＤランプ１１ｄ、使用開始から所定時間が経過した時や後述するボタン１１ａ〜１１ｃが押された時に所定パターンで音を鳴らすブザー１３（図１〜図３では図示せず）のＯＮ／ＯＦＦや作動状態の切替を行う。
【００２８】
本体２の取手部分の前面には、操作入力部１１が設けられ、操作入力部１１には電源ボタン１１ａ、ヒーター発熱面５ａの温度をガラスカバー６の外表面の温度が３７℃、４０℃、４３℃になる低温モードに設定する低温モードボタン１１ｂ、ヒーター発熱面５ａの温度をガラスカバー６の外表面の温度が６５℃、７０℃、７５℃になる高温モードに設定する高温モードボタン１１ｃと、赤色と緑色を選択して点灯・消灯可能なＬＥＤランプ１１ｄとが設けられている。各ボタン１１ａ〜１１ｃによる入力は、制御回路１０１に認識され、制御回路１０１はスイッチ回路１０２に所定の制御指令を出力する。１２は電源コードであり、家庭用コンセント等の交流電源１４による電源をＡＣ／ＤＣアダプタ１０３に供給する。
【００２９】
上記実施形態の温灸器１を使用する場合には、電源ボタン１１ａを一秒程度長押しすると電源が入り、制御回路１０１は、電源ボタン１１ａの入力に応じて、ガラスカバー６の外表面温度３７℃に対応するヒーター５の所定温度、例えば４７℃でヒーター５が出力するようにスイッチ回路１０２を制御し、スイッチ回路１０２は前記所定温度の状態でヒーター５をＯＮ状態にする。更に、制御回路１０１は、サーミスタ５ｂから入力される計測値と前記所定温度を比較して前記所定温度を検知し、前記検知に応じてスイッチ回路１０２を制御して下段に位置する１つのＬＥＤランプ１１ｄを緑色で点灯する（低温モード中の低温状態）。ヒーター５の出力により、ヒーター発熱面５ａと面接触する遠赤外線放射材８及び遠赤外線放射層７とガラスカバー６が加熱され、ガラスカバー６の外表面に接触する人体部位を加温すると共に、人体部位へ遠赤外線を放射する。
【００３０】
その後、高温モードボタン１１ｃの一秒程度の長押しによる温度変更入力に応じて、制御回路１０１は、ガラスカバー６の外表面温度６５℃に対応するヒーター５の所定温度、例えば７５℃でヒーター５が出力するようにスイッチ回路１０２を制御し、スイッチ回路１０２はヒーター５の出力を前記所定温度の状態に変更する。更に、制御回路１０１は、サーミスタ５ｂから入力される計測値と前記所定温度を比較して前記所定温度を検知し、前記検知に応じてスイッチ回路１０２を制御して下段に位置する１つのＬＥＤランプ１１ｄを赤色で点灯する（高温モード中の低温状態）。
【００３１】
その後、高温モードボタン１１ｃの長押しによる温度変更入力に応じて、制御回路１０１は、ガラスカバー６の外表面温度７０℃に対応するヒーター５の所定温度、例えば８０℃でヒーター５が出力するようにスイッチ回路１０２を制御し、スイッチ回路１０２はヒーター５の出力を前記所定温度の状態に変更する。更に、制御回路１０１は、サーミスタ５ｂから入力される計測値と前記所定温度を比較して前記所定温度を検知し、前記検知に応じてスイッチ回路１０２を制御して下段と中段の２つのＬＥＤランプ１１ｄを赤色で点灯する（高温モード中の中温状態）。
【００３２】
その後、高温モードボタン１１ｃの長押しによる温度変更入力に応じて、制御回路１０１は、ガラスカバー６の外表面温度７５℃に対応するヒーター５の所定温度、例えば８５℃でヒーター５が出力するようにスイッチ回路１０２を制御し、スイッチ回路１０２はヒーター５の出力を前記所定温度の状態に変更する。更に、制御回路１０１は、サーミスタ５ｂから入力される計測値と前記所定温度を比較して前記所定温度を検知し、前記検知に応じてスイッチ回路１０２を制御して下段と中段と上段の３つのＬＥＤランプ１１ｄを赤色で点灯する（高温モード中の高温状態）。更に、高温モードボタン１１ｃの長押しによる温度変更入力を行うと、制御回路１０１は、前記高温モード中の低温にする処理を実行し、更なる高温モードボタン１１ｃの長押しによる温度変更入力で、高温モード中の低温・中温・高温の状態をループ状に移行する。即ち、高温モード中で段階的に温度設定が可能になっている。
【００３３】
また、上記低温モード中の低温状態から低温モードボタン１１ｂの一秒程度の長押しによる温度変更入力に応じて、制御回路１０１は、ガラスカバー６の外表面温度４０℃に対応するヒーター５の所定温度、例えば５０℃でヒーター５が出力するようにスイッチ回路１０２を制御し、スイッチ回路１０２はヒーター５の出力を前記所定温度の状態に変更する。更に、制御回路１０１は、サーミスタ５ｂから入力される計測値と前記所定温度を比較して前記所定温度を検知し、前記検知に応じてスイッチ回路１０２を制御して下段と中段に位置する２つのＬＥＤランプ１１ｄを緑色で点灯する（低温モード中の中温状態）。
【００３４】
その後、低温モードボタン１１ｂの長押しによる温度変更入力に応じて、制御回路１０１は、ガラスカバー６の外表面温度４３℃に対応するヒーター５の所定温度、例えば５３℃でヒーター５が出力するようにスイッチ回路１０２を制御し、スイッチ回路１０２はヒーター５の出力を前記所定温度の状態に変更する。更に、制御回路１０１は、サーミスタ５ｂから入力される計測値と前記所定温度を比較して前記所定温度を検知し、前記検知に応じてスイッチ回路１０２を制御して下段と中段と上段の３つのＬＥＤランプ１１ｄを緑色で点灯する（低温モード中の高温状態）。更に、低温モードボタン１１ｂの長押しによる温度変更入力を行うと、制御回路１０１は、前記低温モード中の低温にする処理を実行し、更なる低温モードボタン１１ｂの長押しによる温度変更入力で、低温モード中の低温・中温・高温の状態をループ状に移行する。即ち、低温モード中で段階的に温度設定が可能になっている。
【００３５】
また、上記温度変更で高温の状態から低温の状態へ移行する際には、制御回路１０は、温度変更入力に応じて、スイッチ回路１０２を制御して冷却ファン９を作動し、制御回路１０１は、サーミスタ５ｂから入力される計測値と前記低温の所定温度を比較して前記所定温度を検知し、前記検知に応じてスイッチ回路１０２を制御して冷却ファン９の作動を停止する。前記構成により、素早く高温状態から低温状態へ移行することが可能になっている。尚、温度移行時には、制御回路１０１のスイッチ回路１０２の制御により、例えば緑色や赤色でＬＥＤランプ１１ｄを点滅する構成や、ブザー１３を所定パターンで鳴らす構成等としてもよい。
【産業上の利用可能性】
【００３６】
本発明は、例えば肩などに押し当て或いは肌に沿って移動しながら人体部位を加温し、遠赤外線を照射する温灸器として利用することができる。
【図面の簡単な説明】
【００３７】
【図１】（ａ）は実施形態の温灸器の正面図、（ｂ）は実施形態の温灸器の平面図。
【図２】実施形態の温灸器の縦断面図。
【図３】実施形態の温灸器に於けるガラスカバーと遠赤外線放射層と遠赤外線放射材の積層構造を示す縦断説明図。
【図４】実施形態の温灸器の制御構成を示すブロック図。
【符号の説明】
【００３８】
１  温灸器
２  本体
２ａ  被係合部
２ｂ  排気口
２ｃ  吸気口
３  開口
４  断熱板
４ａ  凹部
５  ヒーター
５ａ  発熱面
５ｂ  サーミスタ
５ｃ  サーモスタット
６  ガラスカバー
６ａ  係合片
６ｂ  微細凹凸
７  遠赤外線放射層
８  遠赤外線放射材
９  冷却ファン
１０  回路収容部
１０１  制御回路
１０２  スイッチ回路
１０３  ＡＣ／ＤＣアダプタ
１１  操作入力部
１１ａ  電源ボタン
１１ｂ  低温モードボタン
１１ｃ  高温モードボタン
１１ｄ  ＬＥＤランプ
１２  電源コード
１３  ブザー
１４  交流電源
【図１】
2007014679.tif 000003
【図２】
2007014679.tif 000004
【図３】
2007014679.tif 000005
【図４】
2007014679.tif 000006